(57)【要約】【課題】  食材を店舗等で購入するにあたり、その食材の新鮮度、購入に際しての食材の選択方法、食材の調理方法、食材の小売価格等の食材に関する情報を店頭において知ることができるようにする。【解決手段】  店頭において対象となる食材を端末装置１０の撮像手段１１で撮像して、撮像した画像データを端末装置１０からサーバ装置２０にネットワーク３０を介して送る。サーバ装置２０は、画像データ中の撮像された食材の種別を解析し、解析された種別に対応する食材に関する提供情報をデータベース２２から取り出す。提供情報をサーバ装置２０から端末装置１０に送り、提供情報を表示する。提供情報としては、食材の鮮度情報、食材の見本となる画像情報、購入に際しての食材の選択方法、食材の調理方法、食材の小売価格情報、食材を販売する店舗情報等である。【選択図】  図１
2005092565.tif 000002
【特許請求の範囲】
【請求項１】
情報の提供を受けようとする対象となる食材を端末装置において撮像するステップと、
前記食材を撮像した画像データを前記端末装置からサーバ装置に送るステップと、
前記画像データ中の撮像された食材の種別を解析するステップと、
解析された種別に対応する食材に関する提供情報をデータベースから取り出すステップと、
前記提供情報を前記サーバ装置から前記端末装置に送るステップと、
送られる前記提供情報を前記端末装置において表示するステップと、
を含むことを特徴とする食材情報提供方法。
【請求項２】
情報の提供を受けようとする対象となる食材を端末装置において撮像するステップと、
前記撮像した食材に関する種別情報を端末装置において入力するステップと、
前記食材を撮像した画像データと前記種別情報とを前記端末装置からサーバ装置に送るステップと、
前記画像データを解析すると共に前記種別情報に対応する食材に関する提供情報をデータベースから取り出すステップと、
前記提供情報を前記サーバ装置から前記端末装置に送るステップと、
送られる前記提供情報を前記端末装置において表示するステップと、
を含むことを特徴とする食材情報提供方法。
【請求項３】
前記撮像する食材が置かれている店舗の情報を前記端末装置において入力するステップと、
前記店舗の情報を前記端末装置からサーバ装置に送るステップと、
前記店舗の情報と前記撮像された食材とに基づき前記データベース内にある提供情報を更新するステップと、
を含むことを特徴とする請求項１または２のいずれか一記載の食材情報提供方法。
【請求項４】
前記提供情報は、前記食材の鮮度情報、前記食材の見本となる画像情報、購入に際しての前記食材の選択方法、前記食材の調理方法、前記食材の市価情報、前記食材と同等の食材を販売する他店情報の少なくとも一つを含む情報であることを特徴とする請求項１〜３のいずれか一記載の食材情報提供方法。
【請求項５】
前記鮮度情報は、前記撮像した画像データと、この画像データに対応した前記データベースに蓄えられている画像データと、から判定される情報であることを特徴とする請求項４記載の食材情報提供方法。
【請求項６】
前記提供情報は、ＵＲＬで表される情報であることを特徴とする請求項１〜３のいずれか一記載の食材情報提供方法。
【請求項７】
前記食材は、生鮮食料品であることを特徴とする請求項１〜４のいずれか一記載の食材情報提供方法。
【請求項８】
前記端末装置は、撮像手段を備える携帯端末装置であることを特徴とする請求項１〜３のいずれか一記載の食材情報提供方法。
【請求項９】
端末装置とネットワークを介して接続してデータを送受する通信手段と、
前記端末装置から送られる画像データから撮像された食材の種別を解析する処理手段と、
食材に関する提供情報を蓄えるデータベースと、
を備え、
前記解析された種別に対応する食材に関する提供情報を前記データベースから取り出して前記端末装置に伝えることを特徴とするサーバ装置。
【請求項１０】
端末装置とネットワークを介して接続してデータを送受する通信手段と、
前記端末装置から送られる食材の画像データおよび前記食材に関する種別情報を解析する処理手段と、
食材に関する提供情報を蓄えるデータベースと、
を備え、
前記処理手段の解析結果に基づいて検索した食材についての提供情報を前記データベースから取り出して前記端末装置に伝えることを特徴とするサーバ装置。
【請求項１１】
前記食材に関する種別情報は、予め前記サーバ装置から提示される複数の候補となる情報の中から選択されるものであることを特徴とする請求項１０記載のサーバ装置。
【請求項１２】
前記提供情報は、前記食材の鮮度情報、前記食材の見本となる画像情報、購入に際しての前記食材の選択方法、前記食材の調理方法、前記食材の市価情報、前記食材と同等の食材を販売する他店情報の少なくとも一つを含む情報であることを特徴とする請求項９または１０のいずれか一記載のサーバ装置。
【請求項１３】
前記鮮度情報は、前記端末装置から送られる画像データと、この画像データに対応した前記データベースに蓄えられている画像データと、から判定される情報であることを特徴とする請求項１２記載のサーバ装置。
【請求項１４】
前記提供情報は、ＵＲＬで表される情報であることを特徴とする請求項９、１０、１２のいずれか一記載のサーバ装置。
【請求項１５】
前記食材は、生鮮食料品であることを特徴とする請求項９〜１２のいずれか一記載のサーバ装置。
【請求項１６】
前記端末装置から送られる店舗情報に従って前記データベース内にある提供情報を更新することを特徴とする請求項９または１０のいずれか一記載のサーバ装置。
【請求項１７】
撮像手段と、
前記撮像手段で撮像した食材の画像データをサーバ装置に送出し、
前記画像データに基づき対応する食材についての提供情報を前記サーバ装置から受信する通信手段と、
前記提供情報を表示する表示手段と、
前記撮像手段、前記通信手段、および前記表示手段を機能させるためにユーザが操作する操作手段と、
を備えることを特徴とする端末装置。
【請求項１８】
撮像手段と、
前記撮像手段で撮像した食材の画像データおよび前記食材に関する種別情報をサーバ装置に送出し、
前記種別情報に対応する食材についての提供情報を前記サーバ装置から受信する通信手段と、
前記提供情報を表示する表示手段と、
前記撮像手段、前記通信手段、および前記表示手段を機能させるためにユーザが操作し、前記種別情報を入力する操作手段と、
を備えることを特徴とする端末装置。
【請求項１９】
前記操作手段から前記食材を購入する店舗情報を入力し、入力した店舗情報を前記サーバ装置に送出する請求項１７または１８のいずれか一記載の端末装置。
【請求項２０】
前記提供情報は、前記食材の鮮度情報、前記食材の見本となる画像情報、購入に際しての前記食材の選択方法、前記食材の調理方法、前記食材の市価情報、前記食材と同等の食材を販売する他店情報の少なくとも一つを含む情報であることを特徴とする請求項１７または１８のいずれか一記載の端末装置。
【請求項２１】
前記提供情報は、ＵＲＬで表される情報であることを特徴とする請求項１７または１８のいずれか一記載の端末装置。
【請求項２２】
請求項１７または１８のいずれか一記載の端末装置は、携帯端末装置であることを特徴とする端末装置。
【発明の詳細な説明】
【技術分野】
【０００１】
本発明は、食材の情報提供方法、この方法に用いるサーバ装置および端末装置に係る。
【背景技術】
【０００２】
食材を店舗等で購入するに当たり、その食材の鮮度、購入に際しての食材の選択方法、食材の調理方法、食材の市価等の情報に対する判断は、購入者の予め持っている経験・知識に基づきなされるのが通例である。一方、特許文献１において、美術品等の画像情報に基づき、画像情報が表す物体の作者等の属性情報を知ることができるシステムが開示されている。このシステムの実施例において、食品の鮮度を知ることができる画像識別装置について記載されている。この装置は、データベースを備え、１種類の食品に対して、鮮度が異なる複数のエントリーを有するものである。例えば、ある食品の鮮度が高い画像情報に関しては、鮮度が高いある食品の画像情報、鮮度が高いある食品の画像情報の特徴量、鮮度が高いという情報を含むある食品の属性情報、を含むエントリーがデータベースに格納されている。同様に、データベース中には、ある食品の鮮度が低い画像情報に関するエントリーも格納されている。このようなデータベースを用いることによって、食品の鮮度も知ることができる画像識別装置が構成されている。
【０００３】
また、特許文献２において、食料保存庫の庫内画像を有効に活用し、不足食品や必要食品の経済的な調達のために活用できる技術、可能な適切な調理方法や献立に関連する情報を取得する技術が提供されている。より具体的には、外出先などの遠隔地で、自宅の食料保存庫の在庫を確認しながら、食事の献立を考えたり、必要な食材はどこの小売店でいくらで売っているかを検索して購入計画を立てたり、もしくは必要な食材を食材販売業者や食材宅配業者にオンラインで注文したりできる技術が提供されている。
【０００４】
【特許文献１】特開２００１−１０１１９１号公報（第８頁、第１図）
【特許文献２】特開２００２−２４３３３５号公報（第１図）
【発明の開示】
【発明が解決しようとする課題】
【０００５】
しかしながら、従来の技術では小売店の店頭において販売されている食材の情報を扱うことは配慮されていない。すなわち、特許文献１に記載のシステムは、食品の鮮度を知るための画像識別装置について開示されているに過ぎない。また、特許文献２に記載のシステムは、食料保存庫の庫内画像を扱うことが中心とされている。したがって、従来の方法では、食材を店舗等で購入するにあたり、その食材の新鮮度、購入に際しての食材の選択方法、食材の調理方法、食材の市価等に関する情報を店頭において知ることができるような方法を開示していない。
【０００６】
そこで本発明の目的は、食材を店舗等で購入するにあたり、その食材の新鮮度、購入に際しての食材の選択方法、食材の調理方法、食材の市価等の食材に関する情報を店頭において知ることができるようにする方法および装置を提供することにある。
【課題を解決するための手段】
【０００７】
前記目的を達成するために、本発明に係る食材情報提供方法は、第１の視点によれば、情報の提供を受けようとする対象となる食材を端末装置において撮像するステップと、食材を撮像した画像データを端末装置からサーバ装置に送るステップを含む。また、画像データ中の撮像された食材の種別を解析するステップと、解析された種別に対応する食材に関する提供情報をデータベースから取り出すステップを含む。さらに、提供情報をサーバ装置から端末装置に送るステップと、送られる提供情報を端末装置において表示するステップを含む方法とされる。
【０００８】
また、本発明に係る食材情報提供方法は、第２の視点によれば、情報の提供を受けようとする対象となる食材を端末装置において撮像するステップと、撮像した食材に関する種別情報を端末装置において入力するステップと、食材を撮像した画像データと種別情報とを端末装置からサーバ装置に送るステップと、を含む。また、画像データを解析すると共に種別情報に対応する食材に関する提供情報をデータベースから取り出すステップを含む。さらに、提供情報をサーバ装置から端末装置に送るステップと、送られる提供情報を端末装置において表示するステップを含む方法とされる。
【０００９】
さらに、本発明に係るサーバ装置は、第３の視点によれば、端末装置とネットワークを介して接続してデータを送受する通信手段と、端末装置から送られる画像データから撮像された食材の種別を解析する処理手段と、食材に関する提供情報を蓄えるデータベースと、を備える構成とされる。このような構成の装置は、解析された種別に対応する食材に関する提供情報をデータベースから取り出して端末装置に伝えるように動作する。
【００１０】
また、本発明に係るサーバ装置は、第４の視点によれば、端末装置とネットワークを介して接続してデータを送受する通信手段と、端末装置から送られる食材の画像データおよび食材に関する種別情報を解析する処理手段と、食材に関する提供情報を蓄えるデータベースと、を備える構成とされる。このような構成の装置は、処理手段の解析結果に基づいて検索した食材についての提供情報をデータベースから取り出して端末装置に伝えるように動作する。
【００１１】
さらに、本発明に係る端末装置は、第５の視点によれば、撮像手段と、撮像手段で撮像した食材の画像データをサーバ装置に送出する通信手段と、を備える。また、画像データに基づき対応する食材についての提供情報をサーバ装置から受信する通信手段と、提供情報を表示する表示手段と、撮像手段、通信手段、および表示手段を機能させるためにユーザにより操作される操作手段と、を備える構成とされる。
【００１２】
また、本発明に係る端末装置は、第６の視点によれば、撮像手段と、撮像手段で撮像した食材の画像データおよび食材に関する種別情報をサーバ装置に送出する通信手段と、を備える。また、種別情報に対応する食材についての提供情報をサーバ装置から受信する通信手段と、提供情報を表示する表示手段と、撮像手段、通信手段、および表示手段を機能させるためにユーザが操作し、種別情報を入力する操作手段と、を備える構成とされる。
【発明の効果】
【００１３】
本発明によれば、情報の提供を受けようとする対象となる食材の画像を端末装置で撮ってサーバ装置に送ることで、食材の新鮮度、購入に際しての食材の選択方法、食材の調理方法、食材の市価等の食材に関する情報を知ることができ、食材購入時の利便性を高めることができる。
【００１４】
また、本発明によれば、端末装置で食材の画像を撮り、この食材の種別情報を食材の画像データと共にサーバ装置に送ることで、サーバ装置での食材の種別の判別を容易に行うことができる。
【発明を実施するための最良の形態】
【００１５】
以下、本発明の実施形態を添付図面に基づいて説明する。図１は、本発明の実施形態に係るシステムを示すブロック図である。端末装置１０は、ネットワーク３０を介してサーバ装置２０に接続される端末装置であって、特にＰＤＡ（Personal Digital Assistant）や携帯電話機等の携帯容易な端末である。端末装置１０は、撮像手段１１と、撮像手段１１で撮像した食材の画像データをサーバ装置２０に送出し、画像データに対応する食材についての提供情報をサーバ装置２０から受信する通信手段１２と、提供情報を表示する表示手段１３と、端末装置１０を操作する操作手段１４とを備える。
【００１６】
撮像手段１１は、レンズ等の光学系およびＣＣＤ等の画像素子を含み、画像を撮影する機能を有する。ここでは特に店頭等において食材を撮像するのに用いられる。通信手段１２は、端末装置１０のネットワーク３０への通信インタフェース機能を実現するものである。表示手段１３は、端末装置１０の状態表示あるいはサーバ装置２０から送られる各種情報の表示を行う。操作手段１４は、端末装置１０の各種動作を実行するために情報を入力するもので、サーバ装置２０に対する情報入力も行う。また、制御手段１５は、撮像手段１１、通信手段１２、表示手段１３、および操作手段１４と、バス１９を介して接続され、それぞれを制御するためのものである。
【００１７】
サーバ装置２０は、サーバにおける処理を実行する主体となる中央処理手段２１、各種の情報を蓄積するデータベース２２、ネットワーク３０への通信インタフェース機能を持つ通信手段２３、サーバにおけるマンマシンインタフェースを司る表示手段２４および入力手段２５、を備える。また、中央処理手段２１、データベース２２、通信手段２３、表示手段２４および入力手段２５は、それぞれバス２９を介して接続される。
【００１８】
また、ネットワーク３０は、無線通信を行うネットワークを含み、特にインターネットの通信プロトコルを伝達するネットワークであることが望ましい。
【００１９】
さらに、サーバ装置４０は、ネットワーク３０を介して端末装置１０あるいはサーバ装置２０に接続される装置であって、サーバ装置２０の一部機能を実現し、あるいはサーバ装置２０からハイパーリンク等で論理的に接続されるものである。
【００２０】
以上のようなシステム構成において、端末装置１０は、撮像手段１１で撮像した食材（特に生鮮食料品）の画像データをサーバ装置２０に送る。サーバ装置２０は、端末装置１０から送られる食材の画像データに対応する提供情報をデータベース２２から取り出してネットワーク３０を介して端末装置１０に伝える。提供情報としては、食材の鮮度情報、食材の見本となる画像情報、購入に際しての食材の選択方法、食材の調理方法、食材の市価情報、値頃、食材を販売する他店の情報等である。端末装置１０のユーザは、店頭においてこれらの提供情報を知ることで、食材の購入等に役立てることができる。
【実施例１】
【００２１】
上記した形態に係るシステムの具体的動作について以下に説明する。図２は、本発明の第１の実施例に係る端末装置とサーバ装置との間の処理シーケンスを表す図である。図２において、ステップＳ１０で、端末装置１０のユーザは、操作手段１４を操作し、端末装置１０とサーバ装置２０とが接続され、各種のデータの送受が行える状態になる。
【００２２】
ステップＳ１１で、撮像手段１１により購入等の対象である食材を撮影する。なお、食材の撮影は、ステップＳ１０以前に実行して予め端末装置１０に画像データとして蓄えておいてもよい。
【００２３】
ステップＳ１２で、撮影した食材の画像データを端末装置１０からサーバ装置２０に送る。送信は、メールの送信プロトコルあるいはファイルの転送プロトコル等を用い、ネットワーク３０を介して行われる。
【００２４】
ステップＳ１３で、サーバ装置２０は、受信した画像データの解析を行う。まず、画像データから対象物が何であるのかを判断する。判断にあたって、例えば以下の２段階のステップを経る。
【００２５】
第１の段階では、食材の種別を判断する。例えば、野菜か、果物か、切り身で無い魚であるか、それとも魚の切り身や肉か等を判断する。この判断は、まず、形状から判断し、切り身か肉か否かを判断する。切り身や肉でない場合には、魚であるか否かで判断し、それは主に魚の形状、例えば、ひれの有無、ひれの形から判断し、魚でない場合には、野菜か果物と判断する。
【００２６】
第２の段階では、具体的な対象物の名称を判断する。例えば、魚と判断した場合、データベースに登録された魚に近い画像の魚を判断する。これにより、鯵か鰯かなどを判断する。野菜、果物の場合、データベースに登録された野菜、果物に近い画像のものを判断する。たとえば、大根か、キャベツか、バナナかなどを判断する。
【００２７】
なお、画像データの解析は、既知である各種のパターン認識技術を適用することもできる。
【００２８】
ステップＳ１４で、解析結果を端末装置１０に通知する。すなわち名称等が判断できた場合には、その時点でその名称を端末装置１０に通知するようにしてもよい。これにより、端末装置１０のユーザは、名称を最初に確認することができる。また、サーバ装置２０で、名称を確認できない場合には、再度の画像入力を端末ユーザに要求することが好ましい。さらに、形や色の近い複数の対象物の名称が特定された場合には、それら複数の名称を端末装置１０に通知することが望ましい。
【００２９】
ステップＳ１５で、ユーザは、送られてきた解析結果を判定する。すなわち、名称等が一致しているか否かの判定を行う。あるいは、複数の対象物の名称が特定された場合には、適切なものを選択するか、複数の対象物の中に適切なものがない等の判定を行う。
【００３０】
ステップＳ１６で、ユーザは、判定結果をサーバ装置２０に送信する。
【００３１】
ステップＳ１７で、ユーザから送られた判定結果を判断する。名称等が一致していない、あるいは適切な名称等が無い旨の判定結果（ＮＧ）である場合にはステップＳ１３に進み、再度画像データ解析を行う。例えば先の解析の結果、次候補以降となった名称等に対応するものを選択する。名称等が一致している、あるいは適切な名称等がある旨の判定結果（ＯＫ）である場合には、ステップＳ１８に進む。
【００３２】
ステップＳ１８で、端末装置１０に提供する情報の作成を行う。提供情報には、一例として鮮度情報を含む。例えば、対象物が切り身でない魚である場合には、その鮮度を判断する複数のポイントに関するデータベース２２内にある参照データと受信した画像データとの所定の位置の画像同士を比較し、鮮度のレベルを判断する。ここで、判断のポイントは、例えば、魚の目の部分の色、ひれの具合、また胴体の光具合などである。魚の切り身の場合には、色で判断する。野菜の場合には、葉のしなり具合や色などで判断する。この判断結果（鮮度は、良い、悪いの判断だけの場合や、鮮度レベルで判断しても良い）を鮮度情報とする。また、食材の鮮度ポイントを文章及び画像（鮮度確認ポイントを矢印などで示す、色を示す等）により表現して付加してもよい。
【００３３】
さらに、提供情報には、鮮度の判定結果のほかに、鮮度の良い状態の対象物の画像データ、鮮度の確認ポイント、市場価格、最新の値頃、調理方法、鮮度の良い食材が揃っている店舗名（スーパーやデパートの名称、支店名）等も含んでいてもよい。なお、これら提供情報は、必ずしもサーバ装置２０内に存在する必要は無く、例えば外部の異なるサーバ装置４０内に存在していてもよい。この場合、サーバ装置２０は、サーバ装置４０の存在をＵＲＬ（Uniform Resource Locator）により表して端末装置１０に提供してもよい。
【００３４】
ステップＳ１９で、サーバ装置２０は、提供情報を端末装置１０に伝える。例えば、メールにて提供情報を送信する。あるいは、端末装置１０がＷｅｂブラウザを介してアクセスしている場合には、Ｗｅｂブラウザ内に提供情報を表示できるようにする。
【００３５】
ステップＳ２０で、端末装置１０は、提供情報を受信し、その内容をステップＳ２１で表示する。その後は、不図示の切断処理を行い一連の処理を終了してもよい。あるいは、別の食材の提供情報を得るために新たにステップＳ１１に戻ってもよい。
【００３６】
以上のように端末装置１０のユーザは、対象となる食材を撮像し、食材の画像データをサーバ装置２０に送ることで店頭において鮮度情報を始めとする食材に関する提供情報を知ることができる。すなわち、情報をその道のプロ、例えば市場の卸売り関係者等により提供を受け、サーバ装置のデータベースに登録しておく。こうすることで、たとえ、その食材が新しい物であったり、旬のものであったりして、ユーザがあまり馴染みの無いものであっても食材の最新情報を手に入れることがたやすくなる。
【実施例２】
【００３７】
図３は、本発明の第２の実施例に係る端末装置とサーバ装置との間の処理シーケンスを表す図である。図３において、ステップＳ１０、Ｓ１１、Ｓ１２、Ｓ１８、Ｓ１９、Ｓ２０、Ｓ２１は、図２における同一の符号の各ステップと同等の処理を実行するので、その説明を省略する。
【００３８】
ステップＳ２６で、ユーザは、撮像手段１１により撮影した食材の名称等の対象物情報を操作手段１４から入力し、端末装置１０は、対象物情報をサーバ装置２０に送出する。
【００３９】
ステップＳ２７で、サーバ装置２０は、端末装置１０から受信した名称に対応する対象物の画像データをデータベース２２から検索し、見つかった画像データと端末装置１０から受信した画像データとを比較して、鮮度等を判断する。ステップＳ２７では、第１の実施例において説明した第１及び第２の段階の判断、すなわち画像データの解析による食材の種別あるいは名称の判断処理を省略して画像データの解析を行う。このことでステップＳ２７の処理が簡単になり、また画像データの解析精度が上がらない場合に発生するステップＳ１７のＮＧに基づくステップＳ１３への繰り返しが生じなくなる。
【実施例３】
【００４０】
図４は、本発明の第３の実施例に係る端末装置とサーバ装置との間の処理シーケンスを表す図である。第３の実施例は、ステップＳ２１で、提供情報を端末装置１０において表示した後、ユーザに、店舗情報についてアンケートを求めるものである。図４において、ステップＳ２１までのシーケンスは、図２あるいは図３で説明したシーケンスと同一であり、その説明を省略する。
【００４１】
ステップＳ２２で、どこの店舗で鮮度を確認したか等の店舗情報を操作手段１４から入力する。この場合、候補となる店舗であるスーパーやデパート等の名前を予め端末に送信し、回答時に端末側で選べるようにしてもよい。また、小売価格情報等を合わせて入力してもよい。
【００４２】
ステップＳ２３で、店舗情報が端末装置１０からサーバ装置２０に送られる。
【００４３】
ステップＳ２４で、サーバ装置２０は、受信した店舗情報をステップＳ１３あるいはステップＳ２７で判断した鮮度データと関連させてデータベース２２に記憶する。すなわち、店舗名、対象物の名称、鮮度情報等を関連付けして記憶する。これにより、どの店舗で、どの対象物の鮮度が良いかといったデータベース２２内の情報が更新される。データベース２２は、鮮度が良い食材が揃っている店舗名をサーバ装置２０からユーザに知らせるときの最新の情報源となる。
【００４４】
なお、データベース２２内の提供情報は、端末装置１０のユーザに対して提供されるが、他の用途の情報源としても使用できる。例えば、売れ筋情報として、市場の卸売り業界等の関係者に提供することも可能である。また、食材を調理する際の他の食料品、調味料などの食品業界に提供してもよい。
【産業上の利用可能性】
【００４５】
本発明のシステムによれば、店舗での食材購入時の利便性を高め、食材の新たな販売促進に役立てることができる。
【図面の簡単な説明】
【００４６】
【図１】本発明の実施形態に係るシステムを示すブロック図である。
【図２】本発明の第１の実施例に係る端末装置とサーバ装置との間の処理シーケンスを表す図である。
【図３】本発明の第２の実施例に係る端末装置とサーバ装置との間の処理シーケンスを表す図である。
【図４】本発明の第３の実施例に係る端末装置とサーバ装置との間の処理シーケンスを表す図である。
【符号の説明】
【００４７】
１０  端末装置
１１  撮像手段
１２、２３  通信手段
１３、２４  表示手段
１４  操作手段
１５  制御手段
１９、２９  バス
２０、４０  サーバ装置
２１  中央処理手段
２２  データベース
２５  入力手段
３０  ネットワーク
【図１】
2005092565.tif 000003
【図２】
2005092565.tif 000004
【図３】
2005092565.tif 000005
【図４】
2005092565.tif 000006